(57)【要約】【課題】  エアロバイクに着座したり横臥したりして使用する姿勢を変えることにより、身体を鍛える部位を変え、基本的なトレーニングから高度なトレーニングまで行うことができ、使用者の多様な要求を満足させ、運動効果が高い着座横臥両用エアロバイクを提供する。【解決手段】  着座横臥両用エアロバイクは、エアロバイク本体１０、後部支持フレーム２０及び第１駆動ユニット３０を備える。エアロバイク本体１０は、脚部１１と、後方に向かって脚部１１に延設された管体１２とを有する。管体１２の上方には、負荷車輪セット１３及びフレーム１４が設けられる。負荷車輪セット１３には、クランク１３１及びペダル１３２が延設される。管体１２には、後部から前部にかけてスライド１２１が内部に形成される。フレーム１４には、サドル１６を有する支持杆セット１５が枢着される。【選択図】  図２
0003172768.tif 000002
【実用新案登録請求の範囲】
【請求項１】
エアロバイク本体、後部支持フレーム及び第１駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、前記第１駆動ユニットに連動し、前記第１駆動ユニットを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にキャスタが取付けられ、接続ロッドが上部に枢着され、
前記後部支持フレームの前記長尺部材は、前記エアロバイク本体の前記スライド内に前記キャスタを滑り込ませ、前記接続ロッドの上部が前記支持杆セットに枢着され、前記第１駆動ユニットを牽引して前記後部支持フレームを位置決めすることを特徴とする着座横臥両用エアロバイク。
【請求項２】
エアロバイク本体、後部支持フレーム及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材を有し、前記駆動部材には、前記管体内に挿入されるとともに、後方に延伸されたリードスクリューが接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットを牽引して前記後部支持フレームを位置決めするとともに、前記第２駆動ユニットのネジ軸が、前記後部支持フレームの前記ネジ孔に螺合されることを特徴とする着座横臥両用エアロバイク。
【請求項３】
エアロバイク本体、後部支持フレーム、第１駆動ユニット及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、前記第１駆動ユニットに連動し、前記第１駆動ユニットを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材を有し、前記駆動部材には、前記管体内に挿入されるとともに、後方に延伸されたリードスクリューが接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットを牽引して前記後部支持フレームを位置決めするとともに、前記第２駆動ユニットのネジ軸が、前記後部支持フレームの前記ネジ孔に螺合されることを特徴とする着座横臥両用エアロバイク。
【請求項４】
前記第１駆動ユニットは、前記リードスクリューをモータにより駆動させ、油圧シリンダ又は気圧シリンダを用いることを特徴とする請求項１又は３に記載の着座横臥両用エアロバイク。
【請求項５】
前記第２駆動ユニットの前記駆動部材は、モータに減速機が組み合わされて構成されることを特徴とする請求項２又は３に記載の着座横臥両用エアロバイク。
【請求項６】
前記サドルには、握り部が外側に増設されることを特徴とする請求項１乃至３の何れかに記載の着座横臥両用エアロバイク。
【請求項７】
前記後部支持フレームの前記接続ロッドは弧状であることを特徴とする請求項１乃至３の何れかに記載の着座横臥両用エアロバイク。
【考案の詳細な説明】
【技術分野】
【０００１】
本考案は、着座横臥両用エアロバイクに関するものであり、さらに詳しくは、着座したり横臥したりしてトレーニングを行い、身体の複数の部位を鍛えることが可能な着座横臥両用エアロバイクトレーニングマシンに関するものである。
【背景技術】
【０００２】
従来のエアロバイクトレーニングマシンは、使用者がサドルに腰掛けて運動することに用いることしかできなかったため、身体の複数の部位を鍛えることができず、様々な姿勢でペダルを踏んで運動効果を得ることはできなかった。
【０００３】
例えば、実用新案登録第３１４７４７０号公報（以下、「特許文献１」という。）には、ハンドル中央にパソコン、ＤＶＤ等を取り付け、サドルを改良することにより長時間運動ができるようにしたエアロバイク（登録商標）が記載されている。しかし、かかる提案においても身体の複数の部位を鍛錬するようには構成されたものではなかった。
また、実用新案登録第３１３８３４４号公報（以下、「特許文献２」という。）には、取付フレームと、伝動部品と、２個のペダル連結バーと、２個のペダルと、２個のガイドとを具備したエアロバイクが記載されているが、ペダルによる脚部の運動を主とするものであり、身体の複数の部位の運動を行う構成ではない。
【特許文献１】実用新案登録第３１４７４７０号公報
【特許文献２】実用新案登録第３１３８３４４号公報
【考案の開示】
【考案が解決しようとする課題】
【０００４】
本考案の課題は、例えば、着座したり横臥したりし、様々な姿勢でエアロバイクを使用することにより、様々な身体の部位を鍛え、基本的なトレーニングから高度なトレーニングまで行うことができ、使用者の多様な要求を満足させ、優れた運動効果が得られる着座横臥両用エアロバイクを提供することにある。
【課題を解決するための手段】
【０００５】
そこで、本考案者は、前記の本考案の課題を解決するために鋭意検討を重ねた結果、エアロバイク本体と、前、後部に配置した二基の駆動ユニットと平行移動可能な後部支持フレームとを組み合せた基本構造により前記課題を解決できることに着目し、かかる知見に基いて本考案に想到した。
【０００６】
かくして、上記課題を解決するために、
本考案の第１の形態によれば、エアロバイク本体、後部支持フレーム及び第１駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、前記第１駆動ユニットに連動し、前記第１駆動ユニットを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にキャスタが取付けられ、接続ロッドが上部に枢着され、
前記後部支持フレームの前記長尺部材は、前記エアロバイク本体の前記スライド内に前記キャスタを滑り込ませ、前記接続ロッドの上部が前記支持杆セットに枢着され、前記第１駆動ユニットを牽引して前記後部支持フレームを位置決めすることを特徴とする着座横臥両用エアロバイクが提供される。
【０００７】
上記課題を解決するために、本考案の第２の形態によれば、エアロバイク本体、後部支持フレーム及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材を有し、前記駆動部材には、前記管体内に挿入されるとともに、後方に延伸されたリードスクリューが接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットを牽引して前記後部支持フレームを位置決めするとともに、前記第２駆動ユニットのネジ軸が、前記後部支持フレームの前記ネジ孔に螺合されることを特徴とする着座横臥両用エアロバイクが提供される。
【０００８】
上記課題を解決するために、本考案の第３の形態によれば、エアロバイク本体、後部支持フレーム、第１駆動ユニット及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、前記第１駆動ユニットに連動し、前記第１駆動ユニットを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材を有し、前記駆動部材には、前記管体内に挿入されるとともに、後方に延伸されたリードスクリューが接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットを牽引して前記後部支持フレームを位置決めするとともに、前記第２駆動ユニットのネジ軸が、前記後部支持フレームの前記ネジ孔に螺合されることを特徴とする着座横臥両用エアロバイクが提供される。
【０００９】
前記第１駆動ユニットは、前記リードスクリューをモータにより駆動させたり、油圧シリンダ又は気圧シリンダを用いることが好ましい。
【００１０】
前記第２駆動ユニットの前記駆動部材は、モータに減速機が組み合わされて構成されることが好ましい。
【００１１】
前記サドルには、握り部が外側に増設されることが好ましい。
【００１２】
前記後部支持フレームの前記接続ロッドは弧状であることが好ましい。
【考案の効果】
【００１３】
本考案は、前記の通りの構成を有するものであり、後述するように、使用者は着座また横臥するなど、使用の姿勢を変えることにより、身体各部位の鍛錬をすることができる。また、基本的なトレーニングから高度なトレーニングまで行うことができる。
【図面の簡単な説明】
【００１４】
【図１】本考案の一実施形態による着座横臥両用エアロバイクを示す斜視図である。
【図２】本考案の一実施形態による着座横臥両用エアロバイクを示す分解斜視図である。
【図３】本考案の一実施形態による着座横臥両用エアロバイクを示す側面図である。
【図４】本考案の一実施形態による着座横臥両用エアロバイクのサドルを後ろに倒した状態を示す側面図である。
【図５】本考案の一実施形態による着座横臥両用エアロバイクのサドルを後ろに倒した状態を示す斜視図である。
【図６】本考案の一実施形態による着座横臥両用エアロバイクの第１駆動ユニットを単独で設置した状態を示す側面図である。
【図７】本考案の一実施形態による着座横臥両用エアロバイクの第２駆動ユニットを単独で設置した状態を示す側面図である。
【考案を実施するための最良の形態】
【００１５】
以下、本考案の実施形態について図面に基づいて説明する。なお、これらによって本考案が限定されるものではない。
【００１６】
図１〜図３を参照する。図１〜図３に示すように、本考案の一実施形態による着座横臥両用エアロバイクは、少なくともエアロバイク本体１０、後部支持フレーム２０、第１駆動ユニット３０及び第２駆動ユニット４０から構成される。エアロバイク本体１０は、地面又は床で支える脚部１１と、後方に向かって脚部１１に延設された管体１２と、を有する。管体１２の上方には、負荷車輪セット１３及びフレーム１４が設けられている。負荷車輪セット１３には、クランク１３１と、使用者が踏んで用いるペダル１３２と、が延設されている。管体１２には、後部から前部にかけてスライド１２１が内部に形成され、フレーム１４には、サドル１６を有する支持杆セット１５が枢着されている。この支持杆セット１５は、第１駆動ユニット３０に連動し、第１駆動ユニット３０を出し入れすると、枢軸を中心に支持杆セット１５が回動可能となり、サドル１６の高さ及び前後の位置を調整することができる上、エアロバイク本体１０の前部に枢着され、連動ロッド１８と支持杆セット１５とを組み合わせて構成されたハンドルピラー１７に、ハンドル１７１が枢着されている。後部支持フレーム２０は、地面で支えられる脚部２１と、脚部２１に対して垂直に延設された中空の長尺部材２２と、を有する。長尺部材２２の前端部には、ネジ孔２３が設けられるとともにキャスタ２４が取付けられ、弧状の接続ロッド２５が上部に枢着されている。第２駆動ユニット４０は、管体１２の前部に固設された駆動部材４１を有する。この駆動部材４１は、モータに減速機が組み合わされて使用される形態であり、管体１２内に挿入され、後方に向かって延設されたネジ軸４２を有する。このネジ軸４２は、駆動部材４１により反対方向に回転させることができる。
【００１７】
図１及び図３を参照する。図１及び図３に示すように、本考案の一実施形態による着座横臥両用エアロバイクは、エアロバイク本体１０のスライド１２１内に、後部支持フレーム２０の長尺部材２２に設けられたキャスタ２４を滑り込ませることにより、接続ロッド２５の上部が支持杆セット１５に枢着され、第１駆動ユニット３０を牽引して後部支持フレーム２０を位置決めするとともに、第２駆動ユニット４０のネジ軸４２が、後部支持フレーム２０のネジ孔に螺合される。
【００１８】
本考案の一実施形態による着座横臥両用エアロバイクを実際に使用する際、エアロバイク本体１０及び後部支持フレーム２０の脚部１１，２１が地面により支持されるため、エアロバイクを安定的に設置することが可能であり、使用者がサドル１６に座り、両足に力を入れてペダルを踏むと、トレーニング効果を得ることができ、時間的・空間的制限を受けずにトレーニングを行うことができる。またトレーニング過程において、第１駆動ユニット３０と第２駆動ユニット４０とを協働させ、ハンドルピラー１７に対するサドル１６の傾斜角度を変えてもよい。これにより、使用者は、着座したり横臥したりして運動を行うことができる。第１駆動ユニット３０を突出させると、第２駆動ユニット４０の駆動部材４１が所定方向で回動可能となり、ネジ軸４２により長尺部材２２を前方に牽引する。支持杆セット１５を押上し、ハンドルピラー１７と後部支持フレーム２０の接続ロッド２５とを牽引し、枢軸を中心に回転してサドル１６が上方へ移動すると、ハンドル１７１が回転しながら下がる。これにより、後部支持フレーム２０の位置が、エアロバイク本体１０に近づき、着座姿勢でペダルを踏むことができるようになる（図１〜図３参照）。一方、第１駆動ユニット３０を押し込むと、第２駆動ユニット４０の駆動部材４１がもう一方の所定方向で回転し、支持杆セット１５が下方に引っ張られ、サドル１６、ハンドルピラー１７及び後部支持フレーム２０の接続ロッド２５が枢軸を中心に回転しながら下方へ移動し、後部支持フレーム２０が後方に移動してエアロバイク本体１０から外れ、ハンドル１７１がスムーズに上方に回転して逃げ空間が形成される。そのため、使用者は横臥の姿勢で運動することができる（図４及び図５参照）。このようにサドル１６の高さ及び位置を調整することが可能なため、身体の複数の部位を鍛えることができるとともに、エアロバイク本体１０のスライド１２１内に、キャスタ２４を用いて後部支持フレーム２０の長尺部材２２に滑り込ませて長さを調整すると、後部支持フレーム２０をスムーズに摺動させることができる。そのため、騒音が発生することを防ぐことができる上、上述の第１駆動ユニット３０は、モータによりリードスクリューを駆動させたり、油圧シリンダ、気圧シリンダなどを利用したりしてもよい。また、サドル１６を後ろに倒したときの安全性を高めるために、サドル１６の外側に握り部を増設してもよい。
【００１９】
また、本実施形態の着座横臥両用エアロバイクは、製造コストを有効に減らし、販売価格が下がるように、使用者の必要に応じて第１駆動ユニット３０及び第２駆動ユニット４０の内の一つを選択して設置してもよいし（図６及び図７参照）、エアロバイク本体１０をスムーズに寝かせたり立たせたりすることができるように、第１駆動ユニット３０及び第２駆動ユニット４０の両方を取り付けてもよい。
【００２０】
本考案の着座横臥両用エアロバイクは、エアロバイクに着座したり横臥したりして使用することができ、使用する姿勢を変えることにより身体を鍛える部位を変えることができるため、基本的なトレーニングから高度なトレーニングまで行うことができる。そのため、使用者の様々な要求を満足させ、高い運動効果を得ることができる。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２２】
１０  エアロバイク本体
１１  脚部
１２  管体
１３  負荷車輪セット
１４  フレーム
１５  支持杆セット
１６  サドル
１７  ハンドルピラー
１８  連動ロッド
２０  後部支持フレーム
２１  脚部
２２  長尺部材
２３  ネジ孔
２４  キャスタ
２５  接続ロッド
３０  第１駆動ユニット
４０  第２駆動ユニット
４１  駆動部材
４２  ネジ軸
１２１  スライド
１３１  クランク
１３２  ペダル
１７１  ハンドル
【図１】
0003172768.tif 000003
【図２】
0003172768.tif 000004
【図３】
0003172768.tif 000005
【図４】
0003172768.tif 000006
【図５】
0003172768.tif 000007
【図６】
0003172768.tif 000008
【図７】
0003172768.tif 000009
【手続補正書】
【提出日】平成23年10月27日(2011.10.27)
【手続補正１】
【補正対象書類名】実用新案登録請求の範囲
【補正対象項目名】全文
【補正方法】変更
【補正の内容】
【実用新案登録請求の範囲】
【請求項１】
エアロバイク本体、後部支持フレーム及び第１駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、筒体と該筒体内に挿入出可能な油圧シリンダ又は気圧シリンダからなる前記第１駆動ユニットに連動し、前記第１駆動ユニットの前記油圧シリンダ又は気圧シリンダを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にキャスタが取付けられ、接続ロッドが上部に枢着され、
前記後部支持フレームの前記長尺部材は、前記エアロバイク本体の前記スライド内に前記キャスタを滑り込ませ、前記接続ロッドの上部が前記支持杆セットに枢着され、前記第１駆動ユニットの油圧シリンダ又は気圧シリンダを牽引して前記後部支持フレームを位置決めすることを特徴とする着座横臥両用エアロバイク。
【請求項２】
エアロバイク本体、後部支持フレーム及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材と前記管体内の長尺部材の前記ネジ孔に挿入出可能なネジ軸とからなり、前記駆動部材には、前記管体内に挿入されるとともに、後方に延伸された前記ネジ軸が接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットの駆動部材を駆動することにより前記長尺部材を牽引して前記後部支持フレームを位置決めするとともに、前記第２駆動ユニットのネジ軸が、前記後部支持フレームの前記ネジ孔に螺合されることを特徴とする着座横臥両用エアロバイク。
【請求項３】
エアロバイク本体、後部支持フレーム、第１駆動ユニット及び第２駆動ユニットを備える着座横臥両用エアロバイクであって、
前記エアロバイク本体は、脚部と、後方に向かって前記脚部に延設された管体と、を有し、前記管体の上方には、負荷車輪セット及びフレームが設けられ、前記負荷車輪セットには、クランク及びペダルが延設され、前記管体には、後部から前部にかけてスライドが内部に形成され、前記フレーム上には、サドルを有する支持杆セットが枢着され、前記支持杆セットは、筒体と該筒体内に挿入出可能な油圧シリンダ又は気圧シリンダからなる前記第１駆動ユニットに連動し、前記第１駆動ユニットの油圧シリンダ又は気圧シリンダを出し入れすることにより、枢軸を中心に前記支持杆セットが回動可能となり、前記エアロバイク本体の前部に枢着されるとともに、連動ロッドと前記支持杆セットとの組み合わせにより構成されたハンドルピラー上にハンドルが枢着され、
前記後部支持フレームは、脚部と、前記脚部に対して垂直に延設された長尺部材と、を有し、前記長尺部材は、前端部にネジ孔が設けられるとともにキャスタが取付けられ、接続ロッドが上部に枢着され、
前記第２駆動ユニットは、前記管体の前部に固設された駆動部材と前記管体内の長尺部材の前記ネジ孔に挿入出可能なネジ軸とからなり、前記駆動部材には、前記管体内に挿入されるとともに、後方に延伸されたネジ軸が接続され、
前記後部支持フレームの前記長尺部材は、前記エアロバイク本体の前記スライド内に前記キャスタを滑り込ませ、前記接続ロッドの上部が前記支持杆セットに枢着され、前記第２駆動ユニットの駆動部材を駆動することにより前記長尺部材を牽引して前記後部支持フレームを位置決めするとともに、前記第２駆動ユニットのネジ軸が、前記後部支持フレームの前記ネジ孔に螺合されることを特徴とする着座横臥両用エアロバイク。
【請求項４】
前記第１駆動ユニットは、前記ネジ軸をモータにより駆動させ、油圧シリンダ又は気圧シリンダを用いることを特徴とする請求項１又は３に記載の着座横臥両用エアロバイク。
【請求項５】
前記第２駆動ユニットの前記駆動部材は、モータに減速機が組み合わされて構成されることを特徴とする請求項２又は３に記載の着座横臥両用エアロバイク。
【請求項６】
前記サドルには、握り部が外側に増設されることを特徴とする請求項１乃至３の何れかに記載の着座横臥両用エアロバイク。
【請求項７】
前記後部支持フレームの前記接続ロッドは弧状であることを特徴とする請求項１乃至３の何れかに記載の着座横臥両用エアロバイク。